(57)【特許請求の範囲】
【請求項１】
浴槽の側壁に配置される固定フレームと、
前記固定フレームとの間で浴槽の側壁を挟むように前記固定フレームに取り付けられる可動フレームとを備え、
前記固定フレームは、略鉛直方向に延びて浴槽の側壁に略平行に配置される鉛直部と、略水平方向に延びる水平部とを含み、前記固定フレームの水平部と鉛直部とに亘って補強リブが形成され、前記補強リブは、前記固定フレームの水平部においては前記固定フレームの鉛直部に略直交する方向に延びており、
前記可動フレームは、略鉛直方向に延びて浴槽の側壁に略平行に配置される鉛直部と、略水平方向に延びる水平部とを含み、前記可動フレームの水平部には、前記可動フレームが前記固定フレームに取り付けられた状態において前記補強リブを挟んで対向するように配置されて、前記可動フレームの鉛直部に略直交する方向に延びる第１の脚部と第２の脚部とが形成され、
前記可動フレームが前記固定フレームに取り付けられた状態において、前記可動フレームは、前記第１の脚部と前記第２の脚部とが前記補強リブを挟んで前記補強リブに摺接するように配置され、前記可動フレームの水平部が前記補強リブにビス止めされて前記固定フレームに固定されている、浴槽用手摺り。
【請求項２】
前記固定フレームの鉛直部から突出して浴槽の側壁を押圧する押圧板と、
前記押圧板を浴槽の側壁に対して近接離間させるための操作部とを備え、
前記固定フレームの鉛直部には、前記操作部を取付けるための取付孔が形成され、
前記補強リブは、前記固定フレームの水平部から突出している高さが相対的に大きい厚幅部と、前記固定フレームの水平部から突出している高さが相対的に小さい一対の薄幅部とを含み、
前記薄幅部は、前記固定フレームの水平部上においては、前記固定フレームの鉛直部に略直交する方向に延び、かつ、前記固定フレームの鉛直部に平行な方向において前記厚幅部を挟んで配置され、
前記薄幅部のそれぞれは、前記固定フレームの水平部から前記取付孔の下端までの間に亘って、前記固定フレームの水平部と鉛直部とに連続的に形成されている、請求項１に記載の浴槽用手摺り。
【請求項３】
前記操作部は、使用者が回動操作するためのノブと、前記ノブが回動されることによって前記押圧板を浴槽の側壁に対して近接離間させるように前記押圧板と前記ノブとを連結する連結手段とを含み、
前記連結手段は、前記ノブからトルクが伝達されるトルク被伝達部と、前記ノブから前記トルク被伝達部に伝達されるトルクが所定の値未満では前記ノブから前記トルク被伝達部にトルクを伝達し、伝達されるトルクが所定の値以上では、前記ノブから前記トルク被伝達部へのトルクの伝達を遮断するトルク伝達機構とを含む、請求項２に記載の浴槽用手摺り。
【請求項４】
前記連結手段は、前記押圧板を支承するボルト軸を含み、
前記トルク被伝達部は前記ボルト軸と螺合して前記固定フレームの鉛直部に回転自在に取り付けられるナットであり、
前記ノブは、前記ナットに対して回動自在に外装されて前記ナットにトルクを伝達するためのものであり、
前記トルク伝達機構は、前記ノブから前記ナットに伝達されるトルクが所定の値未満では、前記ノブから前記ナットへトルクを伝達し、伝達されるトルクが所定の値以上では、前記ノブから前記ナットへのトルクの伝達を遮断するものであり、
前記ノブは、前記押圧板を浴槽の側壁の側面から最も遠ざかっている時に固定フレームの鉛直部から前記ノブ側へ向けて突出した前記ボルト軸を収容することができる室を含む、請求項３に記載の浴槽用手摺り。
【請求項５】
前記可動フレームの水平部は、前記可動フレームの鉛直部に略直交する方向に間隔をあけて配置される複数のビス孔と、前記ビス孔の径よりも幅狭に、かつ、前記ビス孔にねじ止めされるビスの脚の径よりも幅広に形成されて前記可動フレームの鉛直部に略直交する方向に延びるスリットとによって貫通され、前記複数のビス孔は、前記スリットによって互いに連通されている、請求項１から請求項４までのいずれか１項に記載の浴槽用手摺り。
【請求項６】
前記補強リブは、水平方向に相対的に幅が大きい大幅部と相対的に幅が小さい小幅部とを含み、前記大幅部と前記小幅部とは前記可動フレームの鉛直部に略直交する方向に並べて配置され、前記補強リブのビス孔は、前記大幅部に形成されている、請求項５に記載の浴槽用手摺り。
【発明の詳細な説明】
【技術分野】
【０００１】
本発明は、一般的には浴槽用手摺りに関し、特定的には、浴槽に着脱可能に取り付けられる浴槽用手摺りに関する。
【背景技術】
【０００２】
従来、高齢者等が浴槽に出入りする際に身体を容易に支持することができるように、浴槽の側壁に着脱可能に取り付けられる浴槽用手摺りがある。このような浴槽用手摺りにおいては、浴槽用手摺りの本体の一部で浴槽の側壁の外側面と内側面とから浴槽の側壁を挟んで、浴槽用手摺り本体を浴槽の側壁上に支持するものがある。浴槽の側壁の厚みは浴槽ごとに異なるので、浴槽用手摺りの本体の幅を調整して取り付ける必要がある。
【０００３】
例えば、特開２０１１−１８９０６９号公報（特許文献１）には、浴槽の側壁の上端部に取り付けて使用される浴槽用手摺りが記載されている。この浴槽用手摺りは、浴槽の側壁の上端面と一方の側面にそれぞれ対向するように配置される上片と縦片を設けて形成され、手摺りを取り付けた本体具と、浴槽の側壁の他方の側面に対向して配置される押圧受け板を設けて形成される押圧受け具とを備えた浴槽用手摺りである。この浴槽用手摺りの本体具の上片の上面には、例えば２本の補強リブが平行に設けられると共に、２本の補強リブの間においてスライド溝が形成されている。２本の補強リブの間のスライド溝においては、本体具の上片の先端付近において、内周に雌ねじ溝を形成したネジ孔がスライド溝に沿って２か所に穿設されている。
【０００４】
本体具に押圧受け具を結合するときには、押圧受け具の上端部に水平方向に突出して設けられたスライドバーをスライド溝にスライド自在に差し込むと共に上片にスライドバーをビス止め固定する。
【０００５】
この浴槽用手摺りでは、スライドバーの厚みは、補強リブの高さ、すなわち、スライド溝の溝深さとほぼ等しい寸法に形成されている。
【先行技術文献】
【特許文献】
【０００６】
【特許文献１】特開２０１１−１８９０６９号公報
【発明の概要】
【発明が解決しようとする課題】
【０００７】
浴槽の側壁に着脱可能に取り付けられる浴槽用手摺りは、使用者によって使用者の全体重を預けられる場合があるので、浴槽の側壁に強固に取り付けられなければならず、また、耐久性も要求される。
【０００８】
しかしながら、特許文献１に記載の浴槽用手摺りでは、２本の補強リブの間に形成されるスライド溝において、本体具の上片にネジ孔が形成されているので、ネジ孔が形成されている部分は相対的に上片の厚みが薄い部分である。そのため、ネジ孔の深さを大きくすることができず、本体に対するスライドバーの取付強度が弱い。また、本体具の上片において肉厚の薄い部分にスライドバーを固定するため、本体具の耐久力が低い。さらに、スライドバーの厚みが補強リブの高さとほぼ等しく形成されており、スライドバーの肉厚が薄いため、押圧受け具の耐久力も低い。
【０００９】
浴槽用手摺りの取付強度や耐久力を高めるためには、例えば、本体具の上片やスライドバーの厚みを大きくすることが考えられる。しかしながら、浴槽用手摺りを必要としない者が浴槽に出入りする場合には、浴槽用手摺りを浴槽の側壁から取り外し、浴槽用手摺りを必要とする者が浴槽に出入りする場合には、浴槽用手摺りを浴槽の側壁に取り付ける、というように、浴槽の側壁に着脱を繰り返すので、浴槽用手摺りは軽量であることが好ましい。
【００１０】
そこで、この発明の目的は、重量を大きく増加させることなく、耐久性を高め、かつ、取付強度を高めることが可能な浴槽用手摺りを提供することである。
【課題を解決するための手段】
【００１１】
この発明に従った浴槽用手摺りは、浴槽の側壁に配置される固定フレームと、固定フレームとの間で浴槽の側壁を挟むように固定フレームに取り付けられる可動フレームとを備える。固定フレームは、略鉛直方向に延びて浴槽の側壁に略平行に配置される鉛直部と、略水平方向に延びる水平部とを含む。固定フレームの水平部と鉛直部とに亘って補強リブが形成されている。補強リブは、固定フレームの水平部においては固定フレームの鉛直部に略直交する方向に延びている。可動フレームは、略鉛直方向に延びて浴槽の側壁に略平行に配置される鉛直部と、略水平方向に延びる水平部とを含む。可動フレームの水平部には、可動フレームが固定フレームに取り付けられた状態において補強リブを挟んで対向するように配置されて、可動フレームの鉛直部に略直交する方向に延びる第１の脚部と第２の脚部とが形成されている。可動フレームが固定フレームに取り付けられた状態において、可動フレームは、第１の脚部と第２の脚部とが補強リブを挟んで補強リブに摺接するように配置され、可動フレームの水平部が補強リブにビス止めされて固定フレームに固定されている。
【００１２】
この発明に従った浴槽用手摺りは、固定フレームの鉛直部から突出して浴槽の側壁を押圧する押圧板と、押圧板を浴槽の側壁に対して近接離間させるための操作部とを備えることが好ましい。固定フレームの鉛直部には、操作部を取付けるための取付孔が形成されていることが好ましい。補強リブは、固定フレームの水平部から突出している高さが相対的に大きい厚幅部と、固定フレームの水平部から突出している高さが相対的に小さい一対の薄幅部とを含むことが好ましい。薄幅部は、固定フレームの水平部上においては、固定フレームの鉛直部に略直交する方向に延び、かつ、固定フレームの鉛直部に平行な方向において厚幅部を挟んで配置されることが好ましい。薄幅部のそれぞれは、固定フレームの水平部から取付孔の下端までの間に亘って、固定フレームの水平部と鉛直部とに連続的に形成されていることが好ましい。
【００１３】
この発明に従った浴槽用手摺りにおいては、操作部は、使用者が回動操作するためのノブと、ノブが回動されることによって押圧板を浴槽の側壁に対して近接離間させるように押圧板とノブとを連結する連結手段とを含むことが好ましい。連結手段は、ノブからトルクが伝達されるトルク被伝達部と、ノブからトルク被伝達部に伝達されるトルクが所定の値未満ではノブからトルク被伝達部にトルクを伝達し、伝達されるトルクが所定の値以上では、ノブからトルク被伝達部へのトルクの伝達を遮断するトルク伝達機構とを含むことが好ましい。
【００１４】
この発明に従った浴槽用手摺りにおいては、連結手段は、押圧板を支承するボルト軸を含むことが好ましい。トルク被伝達部はボルト軸と螺合して固定フレームの鉛直部に回転自在に取り付けられるナットであることが好ましい。ノブは、ナットに対して回動自在に外装されてナットにトルクを伝達するためのものであることが好ましい。トルク伝達機構は、ノブからナットに伝達されるトルクが所定の値未満では、ノブからナットへトルクを伝達し、伝達されるトルクが所定の値以上では、ノブからナットへのトルクの伝達を遮断するものであることが好ましい。ノブは、押圧板を浴槽の側壁の側面から最も遠ざかっている時に固定フレームの鉛直部からノブ側へ向けて突出したボルト軸を収容することができる室を含むことが好ましい。
【００１５】
この発明に従った浴槽用手摺りにおいては、可動フレームの水平部は、可動フレームの鉛直部に直交する方向に沿って間隔をあけて配置される複数のビス孔と、ビス孔の頭部の径よりも幅狭に、かつ、ビス孔にねじ止めされるビスの脚の径よりも幅広に形成されて可動フレームの鉛直部に直交する方向に延びるスリットとによって貫通されていることが好ましい。複数のビス孔は、スリットによって互いに連通されていることが好ましい。
【００１６】
この発明に従った浴槽用手摺りにおいては、補強リブは、水平方向に相対的に幅が大きい大幅部と相対的に幅が小さい小幅部とを含むことが好ましい。大幅部と小幅部とは可動フレームの鉛直部に直交する方向に並べて配置されていることが好ましい。補強リブのビス孔は、大幅部に形成されていることが好ましい。
【発明の効果】
【００１７】
以上のように、この発明によれば、重量を大きく増加させることなく、耐久性を高め、かつ、取付強度を高めることが可能な浴槽用手摺りを提供することができる。
【図面の簡単な説明】
【００１８】
【図１】本発明の第１実施形態の浴槽用手摺りの全体を示す斜視図である。
【図２】本発明の第１実施形態の浴槽用手摺りの全体を示す断面図である。
【図３】固定フレームの全体を、可動フレームと対向する側から見た斜視図（Ａ）と可動フレームの側から見た斜視図（Ｂ）である。
【図４】可動フレームの全体を固定フレームと対向する側から示す斜視図である。
【図５】外側本体部材と内側本体部材とを組み合わせる前の状態を示す斜視図である。
【図６】外側本体部材と内側本体部材とを組み合わせた状態を示す斜視図である。
【図７】外側本体部材と内側本体部材とを図２に示すＶＩＩ−ＶＩＩ線の方向から見た断面図である。
【図８】浴槽用手摺りのハンドルの断面図である。
【図９】図８に示されるハンドルを分解した状態を模式的に示す分解図である。
【図１０】固定フレームの他の例を、可動フレームと対向する側から見た斜視図（Ａ）と可動フレームの側から見た斜視図（Ｂ）である。
【図１１】固定フレームのまた他の例を、可動フレームと対向する側から見た斜視図（Ａ）と可動フレームの側から見た斜視図（Ｂ）である。
【図１２】固定フレームのさらにまた他の例を、可動フレームと対向する側から見た斜視図（Ａ）と可動フレームの側から見た斜視図（Ｂ）である。
【図１３】第２実施形態の浴槽用手摺りの外側本体部材と内側本体部材とを組み合わせた状態を示す斜視図である。
【図１４】第３実施形態の浴槽用手摺りの外側本体部材と内側本体部材とを組み合わせる前の状態を示す斜視図である。
【発明を実施するための形態】
【００１９】
以下、本発明の実施の形態を図面に基づいて説明する。
【００２０】
（第１実施形態）
図１と図２に示すように、本発明の第１実施形態の浴槽用手摺り１は、主に、外側本体部材１０と内側本体部材２０とから構成される本体１０１と、本体１０１に支持される上部グリップ１０２と、本体１０１の上面を覆う上部カバー１０３とを備える。
【００２１】
外側本体部材１０は、略水平面内に延在する水平部１１１と略鉛直面内に延在する鉛直部１１２とを有してＬ字形状に形成された固定フレーム１１０と、固定フレーム１１０の鉛直部１１２から内側本体部材２０側に向かって突出する外側押圧板１１と、固定フレーム１１０の鉛直部１１２を挟んで外側押圧板１１とは反対側、すなわち、外側に向かって突出するノブ１２１と、固定フレーム１１０の鉛直部１１２の外側面を覆う側面カバー１２と、側面カバー１２に取り付けられる２本の筒１３を含む。２本の筒１３は、それぞれ鉛直方向に延びており、側面カバー１２の両脇に配置されている。ノブ１２１と外側押圧板１１とはボルト軸１３０とナット１４０を介して連結されている。ノブ１２１を回動させることによって、後述するようにノブ１２１からナット１４０に回動力が伝達されてナット１４０と螺合しているボルト軸１３０が螺進退され、浴槽の側壁面に対して近接離間するように外側押圧板１１が移動される。ノブ１２１とボルト軸１３０とナット１４０は、後述するハンドル１２０を構成する部材である。ハンドル１２０は操作部の一例であり、ボルト軸１３０は連結手段を構成する部材の一例である。
【００２２】
内側本体部材２０は、略水平面内に延在する水平部２１１と略鉛直面内に延在する鉛直部２１２とを有してＬ字形状に形成された可動フレーム２１０と、可動フレーム２１０の鉛直部２１２から外側本体部材１０側に向かって突出する内側押圧板２１と、可動フレーム２１０の鉛直部２１２を挟んで内側押圧板２１とは反対側に向かって突出する側部グリップ２２とを含む。
【００２３】
固定フレーム１１０の水平部１１１と可動フレーム２１０の水平部２１１には、複数のビス孔１１３，２１３が形成されている。この実施形態においては、固定フレーム１１０には２つのビス孔１１３が、可動フレーム２１０には４つのビス孔２１３が、それぞれ固定フレーム１１０の鉛直部１１２と可動フレーム２１０の鉛直部２１２に直交する方向、すなわち、可動フレーム２１０の水平部２１１の長手方向に沿って並んで配置されている。
【００２４】
上部グリップ１０２は２本の支柱１０４の上端に固着されており、２本の支柱１０４は外側本体部材１０の筒１３内において鉛直方向にスライド可能であるように収容されている。
【００２５】
図３に示すように、固定フレーム１１０の水平部１１１と鉛直部１１２には、補強リブ１１５，１１６が形成されている。この実施形態においては、主に３本の補強リブ１１５，１１６が平行に、水平部１１１と鉛直部１１２に亘って連続的に形成されている。水平部１１１においても、鉛直部１１２においても、フレームの両脇端部に、フレームのＬ字形状に沿って端部補強リブ１１５が形成され、２本の端部補強リブ１１５の中間に中央補強リブ１１６が形成されている。
【００２６】
中央補強リブ１１６は、固定フレーム１１０の水平部１１１の上面の最低部１１１ａから上向きに突出している高さが相対的に大きい厚幅部１１６ａと、厚幅部１１６ａの両側に延びて、固定フレーム１１０の水平部１１１の上面の最低部１１１ａから上向きに突出している高さが相対的に小さい薄幅部１１６ｂとを含む。固定フレーム１１０の鉛直部１１２に直交する方向から見ると、中央補強リブ１１６の端面は「凸」の字の形状である。この実施形態においては、中央補強リブ１１６の厚幅部１１６ａの上面と側面と、薄幅部１１６ｂの上面と側面は平面によって形成されている。
【００２７】
固定フレーム１１０の鉛直部１１２の中央には、ノブ１２１を取り付ける取付孔１１４が形成されている。取付孔１１４の径Ｒ１は、厚幅部１１６ａの横幅Ｒ２より大きく、中央補強リブ１１６の横幅Ｒ３より小さい。そのため、中央補強リブ１１６の厚幅部１１６ａは取付孔１１４の部分で上下に分断されている。一方、中央補強リブ１１６の薄幅部１１６ｂは、固定フレーム１１０の水平部１１１から取付孔１１４の下端を通って、さらに鉛直部１１２の下端までの間に亘って、固定フレーム１１０の水平部１１１と鉛直部１１２とに連続的に形成されている。
【００２８】
図４に示すように、可動フレーム２１０の水平部２１１は板状の基板部２１４と、基板部２１４の下面から下方向に延びる第１の脚部２１５と第２の脚部２１６とを含む。第１の脚部２１５と第２の脚部２１６とは間隔をあけて平行に配置されている。第１の脚部２１５と第２の脚部２１６は、可動フレーム２１０の水平部２１１と鉛直部２１２とに亘って連続的に延びている。可動フレーム２１０の水平部２１１には、第１の脚部２１５と第２の脚部２１６との間に４つのビス孔２１３が形成されている。ビス孔２１３は水平部２１１の基板部２１４上面から下面までを貫通している。この実施の形態においては、第１の脚部２１５と第２の脚部２１６の側面と底面は略平面である。
【００２９】
図５と図６に示すように、外側本体部材１０の固定フレーム１１０の水平部１１１上に内側本体部材２０の可動フレーム２１０の水平部２１１が載せられ、ビス１０５がビス孔１１３とビス孔２１３に通されて、固定フレーム１１０上に可動フレーム２１０が固定される。この実施形態においては、ビス孔２１３は４つ形成されているので、固定フレーム１１０と可動フレーム２１０とをどのビス孔１１３，２１３でビス止めするかによって、固定フレーム１１０の水平部１１１と可動フレーム２１０の水平部２１１との重なり幅を変えることができ、外側押圧板１１と内側押圧板２１の間隔を調整することができる。
【００３０】
図７に示すように、外側本体部材１０と内側本体部材２０とが組み付けられた状態では、可動フレーム２１０は、第１の脚部２１５と第２の脚部２１６とが中央補強リブ１１６に摺接するように配置されている。可動フレーム２１０の第１の脚部２１５と第２の脚部２１６の一つの側面（内側面）は中央補強リブ１１６の厚幅部１１６ａの側面に摺接し、可動フレーム２１０の第１の脚部２１５の底面と第２の脚部２１６の底面は中央補強リブ１１６の薄幅部１１６ｂの上面に摺接する。可動フレーム２１０の水平部２１１が中央補強リブ１１６にビス止めされて固定フレーム１１０に固定されている。
【００３１】
この実施形態においては、それぞれの補強リブの高さ、すなわち、固定フレーム１１０の水平部１１１の上面の最低部１１１ａから上向きに突出している量は、端部補強リブ１１５の高さＬ１が最も大きく、中央補強リブ１１６の厚幅部１１６ａの高さＬ２が次に高く、中央補強リブ１１６の薄幅部１１６ｂの高さＬ３が最も低い。固定フレーム１１０のビス孔１１３は、可動フレーム２１０の水平部２１１の長手方向に沿って並ぶように、厚幅部１１６ａに形成されている。
【００３２】
図８と図９に示すように、ハンドル１２０は、外側押圧板１１を支承するボルト軸１３０と、ボルト軸１３０と螺合するナット１４０と、ナット１４０に外装されるノブ１２１と、ナット１４０とノブ１２１の間に配設されるトルク伝達機構から構成されている。
【００３３】
ナット１４０は、固定フレーム１１０の鉛直部１１２に設けられた取付孔１１４へ挿通される胴部１４１と、取付孔１１４より大きく且つ胴部１４１から放射状に延びたフランジ１４２を備えている。そしてナット１４０の胴部１４１を取付孔１１４へ挿通し、フランジ１４２が固定フレーム１１０の鉛直部１１２へ当接する側の反対側から、取付孔１１４より大きな外径を有するナット側環状部材１６０をネジ１４３によってフランジ１４２へネジ止めすることにより、ナット１４０は固定フレーム１１０の鉛直部１１２へ回転自在に取り付けられている。
【００３４】
また、ナット１４０は、樹脂製のワッシャー１４４を介して固定フレーム１１０の鉛直部１１２へ取り付けられているので、ナット１４０のガタ付きの少ない円滑な回転が強化されている。
【００３５】
この実施形態のトルク伝達機構は、ノブ１２１の回転軸に対して直交する略円形のトルク伝達面１５１を備えており、そしてノブ１２１の回転と同調し且つノブ１２１の回転軸に沿ってスライド可能に内装されるノブ側環状部材１５０と、トルク伝達面１５１に当接し、そしてナット１４０の回転軸に対して直交する略円形のトルク伝受面１６１を備え且つナット１４０へ着脱自在に装着されているナット側環状部材１６０と、ノブ側環状部材１５０のトルク伝達面１５１をナット側環状部材１６０のトルク伝受面１６１へ向けて付勢するコイルバネ１７０を備えている。また、コイルバネ１７０の端部は、ネジ１４７によってナット１４０の端部に装着されるストッパー１４５によって固定されている。
【００３６】
そしてトルク伝達面１５１およびトルク伝受面１６１は、それぞれに伝達されるトルクが所定の値未満では、トルク伝達面１５１とトルク伝受面１６１とを相互に係止し、且つ伝達されるトルクが所定の値以上では、トルク伝達面１５１とトルク伝受面１６１との間で滑りを生じさせる傾斜面を備えた凹部１５３または凸部１６３を含んでいる。
【００３７】
図９に示すように、ノブ１２１とノブ側環状部材１５０との同調は、ノブ１２１の中にノブ側環状部材１５０を装着した時、ノブ１２１の内周面上に形成された複数の凹凸（図示せず）が、ノブ側環状部材１５０の外周面上に形成された凹凸１５２と嵌合することによって保証される。また、ナット側環状部材１６０とナット１４０との同調は、ナット１４０へナット側環状部材１６０を装着した時、ナット１４０の外周面上に形成された複数の凹凸１４６が、ナット側環状部材１６０の内周面上に形成された凹凸１６２と嵌合することによって保証される。
【００３８】
図８に示すように、この実施形態のトルク伝達機構では、トルク伝達面１５１の中心およびトルク伝受面１６１の中心は、共通するノブ１２１およびナット１４０の回転軸上に配置されている。また、トルク伝達面１５１上にはトルク伝達面１５１から傾斜した斜面を含む凹部１５３が形成され、トルク伝受面１６１上にはトルク伝受面１６１から傾斜した斜面を含む凸部１６３が形成されている。トルク伝達面１５１の傾斜面およびトルク伝受面１６１の傾斜面は、外側押圧板１１が浴槽の側壁へ向かって前進するようにノブ１２１を回す時、互いに対向する相手側の傾斜面を昇るように勾配が付けられている。そしてトルク伝達面１５１を有するノブ側環状部材１５０は、ノブ１２１の内周面とナット１４０の外周面との間でノブ１２１の回転軸に沿ってスライド可能に装着されており、且つコイルバネ１７０によってトルク伝受面１６１に向けて付勢されている。
【００３９】
このため、トルク伝達面１５１の傾斜面とトルク伝受面１６１の傾斜面との間には常に一定の摩擦力が生じている。そして、ノブ１２１からナット１４０へ伝達されるトルクが所定の値未満である時、トルク伝達面１５１の傾斜面はトルク伝受面１６１の傾斜面を乗り越えることができず、互いに噛み合った状態で係合している。そして、この係合によりノブ１２１のトルクがナット１４０へ伝達され、ナット１４０と螺合しているボルト軸１３０が螺進退される。
【００４０】
一方、ノブ１２１からナット１４０へ伝達されるトルクが所定の値以上になると、トルク伝達面１５１の傾斜面はトルク伝受面１６１の傾斜面との間に滑りが生じる。その結果、トルク伝達面１５１を有するノブ側環状部材１５０はコイルバネ１７０に抗して後退し、トルク伝達面１５１の傾斜面がトルク伝受面１６１の傾斜面を乗り越えることによって、トルク伝達面１５１とトルク伝受面１６１の係合が解除される。そのため、この状態でノブ１２１を回してもノブ１２１はナット１４０の周りで空回りするのみであり、ノブ１２１からナット１４０へトルクが伝達されることはない。
【００４１】
また、トルク伝達面１５１の傾斜面の後端にはトルク伝達面１５１に略直交する垂直面が形成されており、トルク伝受面１６１の傾斜面の後端にはトルク伝受面１６１に略直交する垂直面が形成されている（図９参照）。トルク伝達面１５１の垂直面とトルク伝受面１６１の垂直面は、外側押圧板１１が浴槽の側壁から後退するようにノブ１２１を回した時、互いに当接し係合する。そのため、外側押圧板１１が浴槽の側壁から後退するようにノブ１２１を回す時は、伝達されるトルクの大きさに拠らず、常にノブ１２１とナット１４０は同調して回転する。
【００４２】
このように、この実施形態のトルク伝達機構は、ナット１４０の回転軸に対して直交するナット１４０の端面をトルク伝受面１６１として利用するものであるが、ノブ１２１からナット１４０へのトルクを確実に伝受または遮断することができる。なぜなら、この実施形態のトルク伝達機構では、ナット１４０に設けられるトルク伝受面１６１を、ナット１４０の外周面に装着されるナット側環状部材１６０に形成したことにより、本来のナット１４０の端面よりより一層大きな面積を有するトルク伝受面１６１をナット１４０の外周面に設けることができたからである。なお、ナット１４０の端部の肉厚（外形寸法）を増大させてナット１４０の端面の面積を広くし、トルク伝受面１６１をナット１４０の外周面ではなくナット１４０の本来の端面であるナット１４０の側端面に設けることで、ノブ１２１からナット１４０へのトルクを伝受または遮断することもできる。この場合には、ナット１４０の側端面と対向するようにトルク伝達面１５１を有するノブ側環状部材１５０を配置し、ノブ側環状部材１５０のトルク伝達面１５１をナット１４０の側端面に設けたトルク伝受面１６１に向けて付勢するように、コイルバネ１７０を配置する。
【００４３】
ナット１４０を回動するためのノブ１２１は、ナット１４０に対し回動自在に外装されており、ナット１４０と同様に固定フレーム１１０の鉛直部１１２に回転自在に取り付けられている。この実施形態の浴槽用手摺り１の場合、ノブ１２１の胴部１４１の付け根には拡径したフランジ部１２３が設けられており、ノブ１２１は、ノブ１２１のフランジ部１２３を、フランジ部１２３より小さな径の開口部を有する化粧カバーで覆うことにより、固定フレーム１１０に回動自在に取り付けられている。
【００４４】
ノブ１２１の内部には、外側押圧板１１を最も固定フレーム１１０の鉛直部１１２へ近付けた時、固定フレーム１１０の鉛直部１１２の反対側で、鉛直部１１２から外方へ向けて突出したボルト軸１３０を収容するための室１２２が設けられている。このため、浴槽用手摺り１では、ノブ１２１によりナット１４０を回動させても、ボルト軸１３０が固定フレーム１１０から外方へ突出して露出することがない。また、ボルト軸１３０を螺進退させても、固定フレーム１１０に対するノブ１２１の相対位置が変わることもない。さらに、ノブ１２１はナット１４０を介してボルト軸１３０の後端部分を覆うように配置されるため、ノブ１２１がボルト軸１３０の後端に直列的に配置される他のタイプのハンドルよりも、ノブ１２１が固定フレーム１１０から外方へ突出する部分の長さが短く且つコンパクトにすることができる。
【００４５】
このように、この実施形態の浴槽用手摺り１によれば、外側押圧板１１を螺進退させるボルト軸１３０の露出が防止され、ナット１４０を回動させるノブ１２１が固定フレーム１１０から外方へ突出する長さが抑制されているので、使用者にとって邪魔であり危険な障害物が排除された安全な浴槽用手摺り１を提供することができる。
【００４６】
以上のように構成される浴槽用手摺り１の使用方法について説明する。
【００４７】
浴槽の側壁に浴槽用手摺り１を取り付けるときには、まず、固定フレーム１１０の水平部１１１上に可動フレーム２１０の水平部２１１が載せられ、外側押圧板１１と内側押圧板２１との間隔が浴槽の側壁の厚みよりも広くされて、ビス止めはされていない状態で、本体１０１が浴槽の側壁上に配置される。本体１０１は、固定フレーム１１０の水平部１１１の下面が浴槽の側壁の上面に接触し、外側押圧板１１が浴槽の外側の側壁面（浴槽の側壁の外側面）に対向するように配置され、内側押圧板２１が浴槽の内側の側壁面（浴槽の側壁の内側面）に対向するように配置される。
【００４８】
この実施形態では、浴槽用手摺り１が浴槽の側壁に取り付けられた状態では、外側本体部材１０のノブ１２１が浴槽の外側に配置され、内側本体部材２０の側部グリップ２２が浴槽の内側に配置される。なお、ノブ１２１が浴槽の内側に配置され、側部グリップ２２が浴槽の外側に配置されるように浴槽用手摺り１が浴槽の側壁に取り付けられてもよい。
【００４９】
次に、使用者は、例えば側部グリップ２２を保持して、可動フレーム２１０の水平部２１１を、固定フレーム１１０の水平部１１１上で、浴槽の側壁面に直交する方向に沿ってスライドさせる。このようにして、外側押圧板１１を浴槽の側壁の外側面に可能な限り近付けられ、内側押圧板２１を浴槽の側壁の内側面に可能な限り近付けられるように、固定フレーム１１０のビス孔１１３と可動フレーム２１０のビス孔１１３を合わせてビス止めする。なお、可動フレーム２１０は、固定フレーム１１０上でスライドされず、予め定められた位置に置かれても構わない。
【００５０】
使用者は、必要があれば、ノブ１２１を回して外側押圧板１１を浴槽の側壁に向かって押し出し、外側押圧板１１と内側押圧板２１とが浴槽の側壁に完全に接触するように、微調整することができる。このようにすることにより、浴槽用手摺り１を浴槽の側壁上に強固に固定することができる。
【００５１】
浴槽から浴槽用手摺り１を取り外すときには、使用者は、ノブ１２１を回して外側押圧板１１を浴槽の側壁から離すように移動させる。
【００５２】
以上のように、浴槽用手摺り１は、浴槽の側壁に配置される固定フレーム１１０と、固定フレーム１１０との間で浴槽の側壁を挟むように固定フレーム１１０に取り付けられる可動フレーム２１０とを備える。固定フレーム１１０は、略鉛直方向に延びて浴槽の側壁に略平行に配置される鉛直部１１２と、略水平方向に延びる水平部１１１とを含む。固定フレーム１１０の水平部１１１と鉛直部１１２とに亘って補強リブ１１５，１１６が形成されている。補強リブ１１５，１１６は、固定フレーム１１０の水平部１１１においては固定フレーム１１０の鉛直部１１２に略直交する方向に延びている。可動フレーム２１０は、略鉛直方向に延びて浴槽の側壁に略平行に配置される鉛直部２１２と、略水平方向に延びる水平部２１１とを含む。可動フレーム２１０の水平部２１１には、可動フレーム２１０が固定フレーム１１０に取り付けられた状態において、補強リブ１１５，１１６のうち、中央補強リブ１１６を挟んで対向するように配置されて、可動フレーム２１０の鉛直部２１２に略直交する方向、すなわち、可動フレーム２１０の水平部２１１の長手方向に延びる第１の脚部２１５と第２の脚部２１６とが形成されている。可動フレーム２１０が固定フレーム１１０に取り付けられた状態において、可動フレーム２１０は、第１の脚部２１５と第２の脚部２１６とが中央補強リブ１１６を挟んで中央補強リブ１１６に摺接するように配置され、可動フレーム２１０の水平部２１１が中央補強リブ１１６にビス止めされて固定フレーム１１０に固定されている。
【００５３】
使用者が側部グリップ２２を掴んで浴槽の出入りをする時、固定フレーム１１０と可動フレーム２１０には鉛直面内において荷重がかかる。固定フレーム１１０には、水平部１１１と鉛直部１１２とに亘って中央補強リブ１１６が形成されており、中央補強リブ１１６に可動フレーム２１０がビス止めされるので、使用者が側部グリップ２２を掴んで浴槽の出入りをする時、鉛直面内においてかかる荷重に対する固定フレーム１１０の強度を向上させることができる。可動フレーム２１０には第１の脚部２１５と第２の脚部２１６とが形成されていることによって、同様に、鉛直面内においてかかる荷重に対する可動フレーム２１０の強度が向上する。また、可動フレーム２１０が固定フレーム１１０に取り付けられた状態において、第１の脚部２１５と第２の脚部２１６は中央補強リブ１１６に対向するように配置され、中央補強リブ１１６に摺接するように中央補強リブ１１６を挟むので、水平面内において、可動フレーム２１０の鉛直部２１２に平行な方向に可動フレーム２１０ががたつくことを抑えることができるとともに、固定フレーム１１０と可動フレーム２１０には鉛直面内において荷重がかかる時に強度が低下することを防ぐことができる。さらに、中央補強リブ１１６に可動フレーム２１０をビス止めすることによって、水平部１１１の最低部１１１ａにビス止めする場合よりも、ビスを深くねじ込むことができるので、可動フレーム２１０の取付強度が向上する。
【００５４】
このようにすることにより、固定フレーム１１０と可動フレーム２１０の耐久性を高め、かつ、固定フレーム１１０と可動フレーム２１０との取付強度を高めることが可能な浴槽用手摺り１を提供することができる。
【００５５】
また、浴槽用手摺り１は、固定フレーム１１０の鉛直部１１２から突出して浴槽の側壁を押圧する外側押圧板１１と、外側押圧板１１を浴槽の側壁に対して近接離間させるためのハンドル１２０とを備える。固定フレーム１１０の鉛直部１１２には、ハンドル１２０を取付けるための取付孔１１４が形成されている。中央補強リブ１１６は、固定フレーム１１０の水平部１１１の上面の最低部１１１ａから上向きに突出している高さが相対的に大きい厚幅部１１６ａと、固定フレーム１１０の水平部１１１の上面の最低部１１１ａから上向きに突出している高さが相対的に小さい一対の薄幅部１１６ｂとを含む。一対の薄幅部１１６ｂは、固定フレーム１１０の水平部１１１上においては、固定フレーム１１０の鉛直部１１２に略直交する方向、すなわち、可動フレーム２１０の長手方向に沿って延び、かつ、水平面内において固定フレーム１１０の鉛直部１１２に平行な方向において厚幅部１１６ａを挟んで配置される。一対の薄幅部１１６ｂのそれぞれは、固定フレーム１１０の水平部１１１から取付孔１１４の下端までの間に亘って、固定フレーム１１０の水平部１１１と鉛直部１１２とに連続的に形成されている。
【００５６】
浴槽の側壁に対する浴槽用手摺り１の着脱時と浴槽用手摺り１の使用時には、取付孔１１４の周縁には特に大きな応力がかかる。取付孔１１４の周囲の強度を高めるため、あるいは、浴槽用手摺り１の全体の強度を高めるためには、例えば、固定フレーム１１０の厚みを全体的に厚くしたり、補強リブを全体的に大きくしたりすることができる。しかしながら、このようにすると浴槽用手摺り１の重量が増加し、着脱作業が困難になる場合がある。
【００５７】
そこで、中央補強リブ１１６を、厚幅部１１６ａと、厚幅部１１６ａを挟んで配置される一対の薄幅部１１６ｂとによって構成し、薄幅部１１６ｂを、固定フレーム１１０の水平部１１１から取付孔１１４の下端までの間に亘って連続的に形成する。このようにすることにより、浴槽用手摺り１の重量を大きく増加させることなく、取付孔１１４まわりを補強することができて、浴槽用手摺り１全体の強度を向上させることができる。
【００５８】
また、浴槽用手摺り１においては、ハンドル１２０は、使用者が回動操作するためのノブ１２１と、ノブ１２１が回動されることによって外側押圧板１１を浴槽の側壁に対して近接離間させるように外側押圧板１１とノブ１２１とを連結する連結手段とを含む。連結手段は、ノブ１２１からトルクが伝達されるトルク被伝達部としてナット１４０と、ノブ１２１からナット１４０に伝達されるトルクが所定の値未満ではノブ１２１からナット１４０にトルクを伝達し、伝達されるトルクが所定の値以上では、ノブ１２１からナット１４０へのトルクの伝達を遮断するトルク伝達機構とを含む。
【００５９】
トルク伝達機構は、上述のように、ノブ１２１から連結手段のナット１４０に伝達されるトルクが所定の値以上ではノブ１２１からナット１４０へのトルク伝達を遮断する。そのため、使用者が、外側押圧板１１が浴槽の側壁に十分に接触している状態で、さらにノブ１２１を回動させて外側押圧板１１を浴槽の側壁に押し付けようとしても、ノブ１２１はナット１４０に対して滑って空回りして、外側押圧板１１を浴槽の側壁に押し付ける力が加わらない。このようにすることにより、浴槽の側壁が破損することを防ぐことができる。
【００６０】
また、浴槽用手摺り１においては、連結手段は、外側押圧板１１を支承するボルト軸１３０を含む。トルク被伝達部は、上述のように、ボルト軸１３０と螺合して固定フレーム１１０の鉛直部１１２に回転自在に取り付けられるナット１４０である。ノブ１２１は、押圧板を浴槽の側壁の側面から最も遠ざかっている時に固定フレーム１１０の鉛直部１１２からノブ１２１側へ向けて突出したボルト軸１３０を収容することができる室１２２を含む。
【００６１】
外側押圧板１１を支承するボルト軸１３０において、固定フレーム１１０の鉛直部１１２からノブ１２１側に向けて突出する量は、外側押圧板１１が浴槽の側壁に最も近づけられているときに最も小さく、外側押圧板１１が浴槽の側壁から最も遠ざけられているときに最も大きい。そこで、外側押圧板１１が浴槽の側壁から最も遠ざかっているときにボルト軸１３０を収容する室１２２をノブ１２１が含むことによって、ボルト軸１３０がノブ１２１から突出しないようにすることができる。
【００６２】
また、ノブ１２１がナット１４０にトルクを伝達し、ナット１４０がボルト軸１３０に螺合するように構成されているので、ノブ１２１を一定の位置で使用者が回動させて、ボルト軸１３０をナット１４０に対して螺進退させて押圧板を浴槽の側壁に対して近接離間させることができる。このようにすることにより、浴槽の側壁からのノブ１２１の突出量が一定になり、使用者の邪魔になりにくい。
【００６３】
浴槽用手摺り１においては、固定フレームの形状は上述のものに限られない。次に、一例として、固定フレームの他の例について説明する。
【００６４】
図１０に示すように、第１実施形態と同様に、固定フレーム３１０は水平部３１１と鉛直部３１２とを含む。水平部３１１の上面には端部補強リブ３１５と中央補強リブ３１６が形成され、中央補強リブ３１６には複数のビス孔３１３が形成されている。鉛直部３１２にはハンドルの取付孔３１４が形成されている。固定フレーム３１０の中央補強リブ３１６は、端面が略長方形状に形成されている。この固定フレーム３１０では、中央補強リブ３１６に厚幅部と薄幅部とが形成されておらず、固定フレーム３１０の水平部３１１の上面の最低部３１１ａから突出している中央補強リブ３１６の高さは一定である。
【００６５】
このようにすることにより、固定フレーム３１０をより軽量化することができる。但し、取付孔３１４の位置で中央補強リブ３１６が途切れてしまうので、図３に示す固定フレーム１１０の方が取付孔１１４の周囲の強度は高い。
【００６６】
図１１に示すように、また他の例の固定フレーム４１０は、第１実施形態と同様に、水平部４１１と鉛直部４１２とを含む。水平部４１１の上面には端部補強リブ４１５と中央補強リブ４１６が形成され、中央補強リブ４１６には複数のビス孔４１３が形成されている。中央補強リブ４１６は、水平部４１１の上面の最低部４１１ａから上向きに突出した量が相対的に大きい厚幅部４１６ａと相対的に小さい薄幅部４１６ｂとを含む。鉛直部４１２にはハンドルの取付孔４１４が形成されている。
【００６７】
固定フレーム４１０の中央補強リブ４１６の薄幅部４１６ｂは取付孔４１４の位置で途切れている。図３に示す固定フレーム１１０の方が取付孔１１４の周囲の強度は高いが、図１０に示す固定フレーム３１０と比較して、浴槽用手摺り全体の重量を大きく増加させずに、取付孔４１４の周囲の強度を高めることができる。
【００６８】
図１２に示すように、さらにまた他の例の固定フレーム５１０は、第１実施形態と同様に、水平部５１１と鉛直部５１２とを含む。水平部５１１の上面には端部補強リブ５１５と中央補強リブ５１６が形成され、中央補強リブ５１６には複数のビス孔５１３が形成されている。中央補強リブ５１６は、水平部５１１の上面の最低部５１１ａから上向きに突出した量が相対的に大きい厚幅部５１６ａと相対的に小さい薄幅部５１６ｂとを含む。鉛直部５１２にはハンドルの取付孔５１４が形成されている。
【００６９】
固定フレーム５１０の中央補強リブ５１６は２本形成されている。２本の中央補強リブ５１６は、図３に示す固定フレーム１１０の中央補強リブ１１６の中央に、中央補強リブが延びる方向に沿って溝が形成された形状である。図１２に示す固定フレーム５１０を用いる場合には、２本の中央補強リブ５１６の間の溝内にビス孔５１３が形成される。なお、可動フレームの水平部に形成するビス孔の位置は変更する必要がない。
【００７０】
この実施形態においては、ビス孔１１３，３１３，４１３，５１３は、中央補強リブ１１６，３１６，４１６，５１６の上面から下面に向かって、また、可動フレーム２１０の水平部２１１に、略鉛直方向に延びるように形成されている。しかし、例えば、中央補強リブ１１６，３１６，４１６，５１６の側面から中央補強リブ１１６，３１６，４１６，５１６の内部に向かって水平方向に延びるようにビス孔が形成されたり、また、可動フレーム２１０の第１の脚部２１５と第２の脚部２１６に水平方向に延びるようにビス孔が形成されていてもよい。
【００７１】
（第２実施形態）
第２実施形態の浴槽用手摺りは、可動フレームの水平部の形状において第１実施形態の浴槽用手摺りと異なる。固定フレームは第１実施形態と同様である。
【００７２】
図１３に示すように、可動フレーム６１０の水平部６１１は板状の基板部６１４と、基板部６１４の下面から下方向に延びる第１の脚部６１５と第２の脚部６１６とを含む。可動フレーム６１０の水平部６１１の基板部６１４に形成される複数のビス孔６１３はスリット６１７によって連結されている。この実施形態においては、ビス孔６１３は、可動フレーム６１０の水平部６１１の長手方向に沿って並ぶように、８箇所に形成されており、スリット６１７は、隣接するビス孔６１３どうしを連結している。スリット６１７は、可動フレーム６１０の水平部６１１を上面から下面まで貫通している。スリット６１７の幅は、ビス孔６１３の径よりも幅狭に、かつ、ビス孔６１３にねじ止めされるビス１０５の脚の径よりも幅広に形成されている。
【００７３】
以上のように、第２実施形態の浴槽用手摺りにおいては、可動フレーム６１０の水平部６１１は、可動フレーム６１０の水平部６１１の長手方向に間隔をあけて配置される複数のビス孔６１３と、ビス孔６１３の径よりも幅狭に、かつ、ビス孔６１３にねじ止めされるビス１０５の脚の径よりも幅広に形成されて可動フレーム６１０の水平部６１１の長手方向に延びるスリット６１７とによって貫通されている。複数のビス孔６１３は、スリット６１７によって互いに連通されている。
【００７４】
隣接するビス孔６１３とビス孔６１３とがスリット６１７で連通されているので、可動フレーム６１０にビス１０５が取り付けられていても、ビス１０５の脚をスリット６１７内で移動させることによって、可動フレーム６１０をスライドさせることができる。このようにすることにより、ビス１０５を、ビス孔６１３から取り外す必要がなくなる。
【００７５】
第２実施形態の浴槽用手摺りのその他の構成と効果は第１実施形態と同様である。
【００７６】
（第３実施形態）
第３実施形態の浴槽用手摺りは、可動フレームの水平部と固定フレームの水平部の形状において第１実施形態または第２実施形態の浴槽用手摺りと異なる。
【００７７】
図１４に示すように、固定フレーム７１０は、第１実施形態と同様に、水平部７１１と鉛直部７１２とを含む。水平部７１１の上面には端部補強リブ７１５と中央補強リブ７１６が形成され、中央補強リブ７１６には複数のビス孔７１３が形成されている。鉛直部７１２には、第１実施形態の固定フレームの鉛直部と同様、ハンドル１２０を取り付けるための取付孔７１４が形成されている。可動フレーム８１０の水平部８１１は板状の基板部８１４と、基板部８１４の下面から下方向に延びる第１の脚部８１５と第２の脚部８１６とを含む。
【００７８】
固定フレーム７１０の中央補強リブ７１６の側面と、可動フレーム８１０の水平部８１１の第１の脚部８１５と第２の脚部８１６の内側面および外側面は平面ではなく、凹凸面によって形成されている。中央補強リブ７１６においては水平方向に相対的に幅が大きい大幅部７１６ａと相対的に幅が小さい小幅部７１６ｂとが、可動フレーム８１０の水平部８１１においては水平方向に相対的に幅が大きい大幅部８１１ａと相対的に幅が小さい小幅部８１１ｂとが、可動フレーム８１０の長手方向に沿って繰り返されている。
【００７９】
第３実施形態の浴槽用手摺りは、第１実施形態または第２実施形態とは異なり、使用者が側部グリップ２２を握って可動フレーム８１０を固定フレーム７１０に対してスライドさせることはできない。第２実施形態の浴槽用手摺りの固定フレーム７１０と可動フレーム８１０を組み付けるときには、固定フレーム７１０の上から可動フレーム８１０を置いて、固定フレーム７１０の中央補強リブ７１６の側面の凹凸に可動フレーム８１０の水平部８１１の第１の脚部８１５と第２の脚部８１６の内側面の凹凸を嵌合させて位置決めする。
【００８０】
以上のように、第３実施形態の浴槽用手摺りにおいては、中央補強リブ７１６は、水平方向に相対的に幅が大きい大幅部７１６ａと相対的に幅が小さい小幅部７１６ｂとを含む。大幅部７１６ａと小幅部７１６ｂとは可動フレーム８１０の水平部８１１の長手方向に並べて配置されている。中央補強リブ７１６のビス孔７１３は、大幅部７１６ａに形成されている。
【００８１】
このようにすることにより、ビス１０５にかかるせん断応力をほぼ無くすことができる。また、可動フレーム８１０の第１の脚部８１５と第２の脚部８１６は、可動フレーム８１０の水平部８１１の長手方向に並ぶ大幅部７１６ａと小幅部７１６ｂのそれぞれに摺接するので、水平面内において、可動フレーム８１０の水平部８１１の長手方向に可動フレーム８１０ががたつくことを抑えることができる。
【００８２】
第３実施形態の浴槽用手摺りのその他の構成と効果は第１実施形態と同様である。
【００８３】
以上に開示された実施の形態はすべての点で例示であって制限的なものではないと考慮されるべきである。本発明の範囲は、以上の説明ではなく、特許請求の範囲によって示され、特許請求の範囲と均等の意味および範囲内でのすべての変形を含むものである。
【符号の説明】
【００８４】
１：浴槽用手摺り、１１０，３１０，４１０，５１０，７１０：固定フレーム、１１１，３１１，４１１，５１１，７１１：固定フレームの水平部、１１２，３１２，４１２，５１２，７１２：固定フレームの鉛直部、１１６，３１６，４１６，５１６，７１６：中央補強リブ、２１０，６１０，８１０：可動フレーム、２１１，６１１，８１１：可動フレームの水平部、２１２，６１２，８１２：可動フレームの鉛直部、２１５，６１５，８１５：第１の脚部、２１６，６１６，８１６：第２の脚部、１１：外側押圧板、１２０：ハンドル、１１４，３１４，４１４，５１４：取付孔、１１６ａ，４１６ａ，５１６ａ：厚幅部、１１６ｂ，４１６ｂ，５１６ｂ：薄幅部、１２１：ノブ、１３０：ボルト軸、１４０：ナット、１２２：室、１１３，２１３，３１３，４１３，５１３，６１３，７１３：ビス孔、６１７：スリット、７１６ａ：大幅部、７１６ｂ：小幅部。
【図１】
0005591282.tif 000002
【図２】
0005591282.tif 000003
【図３】
0005591282.tif 000004
【図４】
0005591282.tif 000005
【図５】
0005591282.tif 000006
【図６】
0005591282.tif 000007
【図７】
0005591282.tif 000008
【図８】
0005591282.tif 000009
【図９】
0005591282.tif 000010
【図１０】
0005591282.tif 000011
【図１１】
0005591282.tif 000012
【図１２】
0005591282.tif 000013
【図１３】
0005591282.tif 000014
【図１４】
0005591282.tif 000015